【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
薬剤を分包する分包装置であって、
薬剤供給部から１包毎に供給される供給量と、薬剤供給部から１包毎に供給される薬剤を繰り返し１包化するサイクルに関連する情報とを対応づけた複数のサイクルデータを記憶する第１の記憶手段と、
薬剤供給部から１包毎に供給される薬剤の供給量を受け付ける第１の受付手段と、
前記受け付けた供給量に従って、前記薬剤供給部から供給される薬剤を繰り返し１包化するサイクルに関連する設定を、前記複数のサイクルデータの中から決定し分包する第１の分包サイクル切替手段と、
を備えることを特徴とする分包装置。
【請求項２】
前記薬剤供給部は、錠剤種別が異なる錠剤を供給する複数の錠剤取出ユニットをさらに備え、
前記複数の錠剤取出ユニットそれぞれから１包毎に供給される錠剤の供給量を受け付ける第２の受付手段と、
前記第２の受付手段で受け付けた錠剤の供給量を合計する合計手段と、
をさらに備え、
前記第１の分包サイクル切替手段が、前記合計した錠剤の供給量に従って、前記複数の錠剤取出ユニットから供給される錠剤を繰り返し１包化するサイクルに関連する設定を、前記複数のサイクルデータの中から決定し分包することを特徴とする請求項１に記載の分包装置。
【請求項３】
前記第２の受付手段は更に、前記複数の錠剤取出ユニットそれぞれから服用時期毎に分けて１包毎に供給される錠剤の供給量を受け付け、
前記合計手段は更に、前記第２の受付手段で受け付けた錠剤の供給量を服用時期毎に分けて合計し、
前記第１の分包サイクル切替手段が、前記合計した錠剤の供給量に従って、前記複数の錠剤取出ユニットから供給される錠剤を繰り返し１包化するサイクルに関連する設定を、前記複数のサイクルデータの中から服用時期毎に決定し分包することを特徴とする請求項２に記載の分包装置。
【請求項４】
錠剤種別毎の１錠分の体積を示す体積データを記憶する第２の記憶手段と、
錠剤種別を受け付ける第３の受付手段と、
前記受け付けた錠剤種別及び前記複数の錠剤取出ユニットから１包毎に供給される錠剤の供給量から、前記体積データを用いて１包化する錠剤の体積を算出する体積算出手段と、
前記算出した体積に従って、前記複数の錠剤取出ユニットから供給される錠剤を繰り返し１包化するサイクルに関連する設定を、前記複数のサイクルデータの中から決定し分包する第２の分包サイクル切替手段と、
をさらに備えることを特徴とする請求項２または請求項３に記載の分包装置。
【請求項５】
前記受け付けた供給量に従って決定した前記薬剤供給部から供給される錠剤を繰り返し１包化するサイクルに関連する設定と、前記算出した体積に従って決定した、前記複数の錠剤取出ユニットから供給される錠剤を繰り返し１包化するサイクルに関連する設定とを比較する第１の比較手段をさらに備え、
前記比較した時間が長い方の繰り返し１包化するサイクルに関連する設定を、前記複数のサイクルデータの中から決定し分包することを特徴とする請求項４に記載の分包装置。
【請求項６】
錠剤種別毎の１錠分の重量を示す重量データを記憶する第３の記憶手段と、
錠剤種別を受け付ける第３の受付手段と、
前記受け付けた錠剤種別及び前記複数の錠剤取出ユニットから１包毎に供給される錠剤の供給量から、前記重量データを用いて１包化する錠剤の重量を算出する重量算出手段と、
前記算出した重量に従って、前記複数の錠剤取出ユニットから供給される錠剤を繰り返し１包化するサイクルに関連する設定を、前記複数のサイクルデータの中から決定し分包する第３の分包サイクル切替手段と、
をさらに備えることを特徴とする請求項２または請求項３に記載の分包装置。
【請求項７】
前記受け付けた供給量に従って決定した前記薬剤供給部から供給される錠剤を繰り返し１包化するサイクルに関連する設定と、前記算出した重量に従って決定した、前記複数の錠剤取出ユニットから供給される錠剤を繰り返し１包化するサイクルに関連する設定とを比較する第２の比較手段をさらに備え、
前記比較した時間が長い方の繰り返し１包化するサイクルに関連する設定を、前記複数のサイクルデータの中から決定し分包することを特徴とする請求項６に記載の分包装置。
【請求項８】
前記繰り返し１包化するサイクルに関連する情報は、１包化する包装速度又は１包化する包装時間を含むことを特徴とする請求項１乃至請求項７の何れか１項に記載の分包装置。
【請求項９】
薬剤を分包し、薬剤供給部から１包毎に供給される供給量と、薬剤供給部から１包毎に供給される薬剤を繰り返し１包化するサイクルに関連する情報とを対応づけた複数のサイクルデータを記憶する第１の記憶手段を備える分包装置の制御方法であって、
前記分包装置の第１の受付手段が、薬剤供給部から１包毎に供給される薬剤の供給量を受け付ける第１の受付工程と、
前記分包装置の第１の分包サイクル切替手段が、前記受け付けた供給量に従って、前記薬剤供給部から供給される薬剤を繰り返し１包化するサイクルに関連する設定を、前記複数のサイクルデータの中から決定し分包する第１の分包サイクル切替工程と、
を含むことを特徴とする制御方法。
【請求項１０】
薬剤を分包し、薬剤供給部から１包毎に供給される供給量と、薬剤供給部から１包毎に供給される薬剤を繰り返し１包化するサイクルに関連する情報とを対応づけた複数のサイクルデータを記憶する第１の記憶手段を備える分包装置で読み取り実行可能なプログラムであって、
前記分包装置を、
前記分包装置の第１の受付手段が、薬剤供給部から１包毎に供給される薬剤の供給量を受け付ける第１の受付工程と、
前記分包装置の第１の分包サイクル切替手段が、前記受け付けた供給量に従って、前記薬剤供給部から供給される薬剤を繰り返し１包化するサイクルに関連する設定を、前記複数のサイクルデータの中から決定し分包する第１の分包サイクル切替工程と、
して機能させるためのプログラム。
【手続補正２】
【補正対象書類名】明細書
【補正対象項目名】０００９
【補正方法】変更
【補正の内容】
【０００９】
本発明は、薬剤を分包する分包装置であって、薬剤供給部から１包毎に供給される供給量と、薬剤供給部から１包毎に供給される薬剤を繰り返し１包化するサイクルに関連する情報とを対応づけた複数のサイクルデータを記憶する第１の記憶手段と、薬剤供給部から１包毎に供給される薬剤の供給量を受け付ける第１の受付手段と、前記受け付けた供給量に従って、前記薬剤供給部から供給される薬剤を繰り返し１包化するサイクルに関連する設定を、前記複数のサイクルデータの中から決定し分包する第１の分包サイクル切替手段と、を備えることを特徴とする。
【手続補正３】
【補正対象書類名】明細書
【補正対象項目名】００１０
【補正方法】変更
【補正の内容】
【００１０】
また、前記薬剤供給部は、錠剤種別が異なる錠剤を供給する複数の錠剤取出ユニットをさらに備え、前記複数の錠剤取出ユニットそれぞれから１包毎に供給される錠剤の供給量を受け付ける第２の受付手段と、前記第２の受付手段で受け付けた錠剤の供給量を合計する合計手段と、をさらに備え、前記第１の分包サイクル切替手段が、前記合計した錠剤の供給量に従って、前記複数の錠剤取出ユニットから供給される錠剤を繰り返し１包化するサイクルに関連する設定を、前記複数のサイクルデータの中から決定し分包することを特徴とする。
また、前記第２の受付手段は更に、前記複数の錠剤取出ユニットそれぞれから服用時期毎に分けて１包毎に供給される錠剤の供給量を受け付け、前記合計手段は更に、前記第２の受付手段で受け付けた錠剤の供給量を服用時期毎に分けて合計し、前記第１の分包サイクル切替手段が、前記合計した錠剤の供給量に従って、前記複数の錠剤取出ユニットから供給される錠剤を繰り返し１包化するサイクルに関連する設定を、前記複数のサイクルデータの中から服用時期毎に決定し分包することを特徴とする。
【手続補正４】
【補正対象書類名】明細書
【補正対象項目名】００１１
【補正方法】変更
【補正の内容】
【００１１】
また、錠剤種別毎の１錠分の体積を示す体積データを記憶する第２の記憶手段と、錠剤種別を受け付ける第３の受付手段と、前記受け付けた錠剤種別及び前記複数の錠剤取出ユニットから１包毎に供給される錠剤の供給量から、前記体積データを用いて１包化する錠剤の体積を算出する体積算出手段と、前記算出した体積に従って、前記複数の錠剤取出ユニットから供給される錠剤を繰り返し１包化するサイクルに関連する設定を、前記複数のサイクルデータの中から決定し分包する第２の分包サイクル切替手段と、をさらに備えることを特徴とする。
【手続補正５】
【補正対象書類名】明細書
【補正対象項目名】００１２
【補正方法】変更
【補正の内容】
【００１２】
また、前記受け付けた供給量に従って決定した前記薬剤供給部から供給される錠剤を繰り返し１包化するサイクルに関連する設定と、前記算出した体積に従って決定した、前記複数の錠剤取出ユニットから供給される錠剤を繰り返し１包化するサイクルに関連する設定とを比較する第１の比較手段をさらに備え、前記比較した時間が長い方の繰り返し１包化するサイクルに関連する設定を、前記複数のサイクルデータの中から決定し分包することを特徴とする。
【手続補正６】
【補正対象書類名】明細書
【補正対象項目名】００１３
【補正方法】変更
【補正の内容】
【００１３】
また、錠剤種別毎の１錠分の重量を示す重量データを記憶する第３の記憶手段と、錠剤種別を受け付ける第３の受付手段と、前記受け付けた錠剤種別及び前記複数の錠剤取出ユニットから１包毎に供給される錠剤の供給量から、前記重量データを用いて１包化する錠剤の重量を算出する重量算出手段と、前記算出した重量に従って、前記複数の錠剤取出ユニットから供給される錠剤を繰り返し１包化するサイクルに関連する設定を、前記複数のサイクルデータの中から決定し分包する第３の分包サイクル切替手段と、をさらに備えることを特徴とする。
【手続補正７】
【補正対象書類名】明細書
【補正対象項目名】００１４
【補正方法】変更
【補正の内容】
【００１４】
また、前記受け付けた供給量に従って決定した前記薬剤供給部から供給される錠剤を繰り返し１包化するサイクルに関連する設定と、前記算出した重量に従って決定した、前記複数の錠剤取出ユニットから供給される錠剤を繰り返し１包化するサイクルに関連する設定とを比較する第２の比較手段をさらに備え、前記比較した時間が長い方の繰り返し１包化するサイクルに関連する設定を、前記複数のサイクルデータの中から決定し分包することを特徴とする。
また、前記繰り返し１包化するサイクルに関連する情報は、１包化する包装速度又は１包化する包装時間を含むことを特徴とする。